(57)【特許請求の範囲】
【請求項１】
水平縁部と垂直縁部とにより断面略Ｌ形に形成されたドレイン受皿と、該ドレイン受皿の垂直縁部から後方に延成された排水管部とを備えてなり、コンクリート型枠に仮固定された打込型コーナードレインの、そのドレイン受皿を、床用コンクリート型枠よりも低い位置にある梁用コンクリート型枠の底壁面の上方に移動不能に保持するものであって、
長さ調整手段を備え、ドレイン受皿の水平縁部の下面に上部が連結される支持部材と、
水平縁部より低い高さ位置に配設される床用コンクリート型枠に、基部側を固定することにより、先端側を床用コンクリート型枠からドレイン受皿の水平縁部の下方に対応する位置に夫々延出して、該先端側で前記支持部材の下部を支持する支持プレートとにより、
ドレイン受皿の水平縁部を梁用コンクリート型枠の底壁面の上方に保持するようにしたことを特徴とする打込型コーナードレインのドレイン受皿保持装置。
【請求項２】
支持部材の長さ調整手段が、上下方向の螺子杆と、該螺子杆の下端が進退可能に螺入される雌螺子孔を備えた螺子筒とによって構成されていることを特徴とする請求項１に記載した打込型コーナードレインのドレイン受皿保持装置。
【請求項３】
水平縁部と垂直縁部とにより断面略Ｌ形に形成されたドレイン受皿と、該ドレイン受皿の垂直縁部から後方に延成された排水管部とを備えてなり、コンクリート型枠に仮固定された打込型コーナードレインの、そのドレイン受皿を、床用コンクリート型枠よりも低い位置にある梁用コンクリート型枠の底壁面の上方に移動不能に保持するものであって、
ターンバックルと、該ターンバックルの両端に螺合される上下一対の螺子杆とによって構成された支持部材を備え、
水平縁部より低い高さ位置に配設される床用コンクリート型枠の端部に、支持部材の下部に位置する螺子杆の下端を連結し、上部に位置する螺子杆の上端を、ドレイン受皿の水平縁部の下面に連結することにより、支持部材を床用コンクリート型枠の端部とドレイン受皿の水平縁部の下面との間に差し渡して、ドレイン受皿の高さに応じて支持部材の長さ調整を可能とし、
ドレイン受皿の水平縁部を梁用コンクリート型枠の底壁面の上方に保持するようにしたことを特徴とする打込型コーナードレインのドレイン受皿保持装置。
【請求項４】
支持部材を構成する螺子杆の上端を、ドレイン受皿の水平縁部の下面に直接螺着することにより、該支持部材をドレイン受皿に固定したことを特徴とする請求項２に記載した打込型コーナードレインのドレイン受皿保持装置。
【請求項５】
螺子筒の下端に、支持プレートとの当接面積を拡大するフランジ部を備え、かつ螺子筒の雌螺子孔に下方から螺入若しくは嵌入されて該雌螺子孔を塞ぐボス部を備えてなるキャップ体を配設したことを特徴とする請求項２又は請求項４に記載した打込型コーナードレインのドレイン受皿保持装置。
【発明の詳細な説明】
【０００１】
【発明の属する技術分野】
本発明は、コンクリート型枠に仮固定された打込型コーナードレインのドレイン受皿を、その仮固定後からコンクリートが打設されて固結するまでの間、移動不能に保持するためのドレイン受皿保持装置に関する。
【０００２】
【従来の技術】
打込型コーナードレインは、断面略Ｌ形のドレイン受皿と、該ドレイン受皿から後方に延成された排水管部とを備えたドレイン本体を、仮固定装置によってコンクリート型枠に仮固定した状態で、周囲にコンクリートを打設することにより、床面と壁面とが交叉する建物のコーナー部分に設置される。
【０００３】
かかる施工に際して用いられる打込型コーナードレインの仮固定装置ａは、図１２に示すように、縦方向に配設されたコンクリート型枠ｘに固定される位置決め盤ｂと、水平縁部ｉの後縁に垂直縁部ｊが連成された断面略Ｌ形のドレイン受皿ｈと前記垂直縁部ｊから後方に延成された排水管部ｋとを備えたドレイン本体ｎの、その排水管部ｋに一端が外嵌され、かつ他端が前記位置決め盤ｂに嵌合されて、ドレイン本体ｎを前記コンクリート型枠ｘに所要間隔で保持する筒状スペーサｃと、前記ドレイン本体ｎの垂直縁部ｊの前面で排水管部ｋの開口部を跨いで差し渡される挟圧板ｄをコンクリート型枠ｘ側に圧接して、前記筒状スペーサｃとで垂直縁部ｊ及び排水管部ｋを挟持する螺子杆ｅと蝶ナットｆとからなる挟持手段とにより構成されている。
【０００４】
かかる仮固定装置ａによって仮固定されたドレイン本体ｎの下方には、予めコンクリート型枠ｙが水平状に配設されており、また、ドレイン本体ｎの垂直縁部ｊの周囲には、コンクリート型枠ｘと対をなす縦方向のコンクリート型枠ｚが配設される。そして、この状態で、前記コンクリート型枠ｙの上部、及び両コンクリート型枠ｘ，ｚ間にコンクリートが打設されることとなる。
【０００５】
【発明が解決しようとする課題】
ところで、上述の仮固定装置ａにあって、コンクリート型枠ｘ，ｚの間隔によって規定される壁側のコンクリート厚を厚くする場合には、該コンクリート型枠ｘ，ｚの間隔に対応する長い筒状スペーサｃ及び螺子杆ｅを用いてドレイン本体ｎの仮固定が行われる。また、このような仮固定装置ａによって仮固定されるドレイン本体ｎは、施工後に円滑な排水作用が得られるように、その排水管部ｋを適宜の傾斜角度（例えば1° 10’）で後部下方に傾斜させ、かつ、ドレイン受皿ｈの水平縁部ｉの左右両側が水平となるように調整した状態でコンクリート型枠ｘに仮固定されている。
【０００６】
ところが、このような仮固定状態にあって、例えば、現場作業員が不注意で足をぶつけたり、物を当てたりして、ドレイン本体ｎに衝撃力が加えられ、これに起因して垂直縁部ｊの前面に差し渡されている挟圧板ｄが上方に相対的にずれると、図１２に鎖線で示すように、ドレイン受皿ｈが前側に下方傾斜してしまうという問題点がある。ここで、この傾斜は、筒状スペーサｃ及び螺子杆ｅが長いほど顕著なものとなる。また、ドレイン本体ｎは、挟圧板ｄに挟圧力を付与する蝶ナットｆの緊締力を介してコンクリート型枠ｘ側に圧接されてはいるものの、螺子杆ｅの周りを回転可能であるため、上記のように、ドレイン本体ｎに何らかの衝撃力が加えられると、図１３に示すように、ドレイン本体ｎが螺子杆ｅの周りを回転して、ドレイン受皿ｈの水平縁部ｉが左右何れかの方向に傾いてしまうという問題点があった。そして、このような所定位置からドレイン受皿ｈがずれた状態でコンクリートが打設され、これが固結すると、その後の修復が極めて困難なものとなってしまう。
【０００７】
本発明は、かかる従来の問題点を解消し得る打込型コーナードレインのドレイン受皿保持装置を提供することを目的とするものである。
【０００８】
【課題を解決するための手段】
本発明は、水平縁部と垂直縁部とにより断面略Ｌ形に形成されたドレイン受皿と、該ドレイン受皿の垂直縁部から後方に延成された排水管部とを備えてなり、コンクリート型枠に仮固定された打込型コーナードレインの、そのドレイン受皿を、床用コンクリート型枠よりも低い位置にある梁用コンクリート型枠の底壁面の上方に移動不能に保持するものであって、長さ調整手段を備え、ドレイン受皿の水平縁部の下面に上部が連結される支持部材と、水平縁部より低い高さ位置に配設される床用コンクリート型枠に、基部側を固定することにより、先端側を床用コンクリート型枠からドレイン受皿の水平縁部の下方に対応する位置に夫々延出して、該先端側で前記支持部材の下部を支持する支持プレートとにより、ドレイン受皿の水平縁部を梁用コンクリート型枠の底壁面の上方に保持するようにしたことを特徴とする打込型コーナードレインのドレイン受皿保持装置である。
【０００９】
かかる構成にあって、支持部材と支持プレートとによって、ドレイン受皿の水平縁部を所定位置に保持し得るので、コンクリート型枠に仮固定された状態にある打込型コーナードレインに何らかの衝撃力が加えられても、ドレイン受皿が前側に下方傾斜したり、該ドレイン受皿の水平縁部が左右方向に傾くことがない。
【００１０】
ここで、ドレイン受皿の水平縁部より低い高さ位置に配設されるコンクリート型枠が、打込型コーナードレインの下方に形成される梁用コンクリート型枠と、該梁用コンクリート型枠の底壁面より高い位置で、該梁用コンクリート型枠の周囲に形成される床用コンクリート型枠とによって構成される場合にあっては、支持プレートを周囲の床用コンクリート型枠に固定して支持部材の下部を支持させることにより、該支持部材を短くすることができ、支持部材の下部を梁用コンクリート型枠の底壁面で支持するために長い支持部材を用いた場合に比して、ドレイン受皿の保持をより安定的に行わせることができる。
【００１１】
前記支持部材の長さ調整手段としては、上下方向の螺子杆と、該螺子杆の下端が進退可能に螺入される雌螺子孔を備えた螺子筒とによって構成したものが提案され得る。このように構成された支持部材を用いることにより、仮固定位置におけるドレイン受皿の高さに応じて、支持部材の長さ調整及びその微調整を容易に行うことができる。
【００１２】
また、前記支持部材の他の長さ調整手段としては、ターンバックルと、該ターンバックルの両端に螺合される上下一対の螺子杆とによって構成したものが提案され得る。この構成にあっても、上記と同様に、仮固定位置におけるドレイン受皿の高さに応じて、支持部材の長さ調整及びその微調整を容易に行うことができる。
【００１３】
また、前記支持部材を構成する螺子杆の上端を、ドレイン受皿の水平縁部の下面に直接螺着することにより、該支持部材をドレイン受皿に固定するようにしてもよい。ここで、打込型コーナードレインにあっては、Ｌ形に屈成されたアンカーｍ（図１２，図１３参照）を螺着するための螺子孔が、ドレイン受皿の水平縁部の下面の左右両側に予め形成されているので、該螺子孔に螺子杆の上端を螺着すれば、ドレイン受皿に螺子孔加工を別途施すことなく、支持部材を簡単に取り付けることができる。また、製品出荷時においては、前記支持部材をドレイン受皿から取り外した状態で梱包し得るので、嵩張ることがなく、さらに、施工後においては、硬化したコンクリート内でアンカー作用を得ることができる。
【００１４】
さらに、前記螺子筒の下端に、コンクリート型枠との当接面積を拡大するフランジ部を備え、かつ螺子筒の雌螺子孔に下方から螺入若しくは嵌入されて該雌螺子孔を塞ぐボス部を備えてなるキャップ体を配設するようにしてもよい。かかる構成にあっては、支持部材によって水平縁部を所定位置に保持した状態において、キャップ体のフランジ部によって、該支持部材の直立性を安定させることができる一方、硬化したコンクリートから型枠を取り外した時に、雌螺子孔の下部を塞ぐキャップ体のボス部によって、該雌螺子孔からの錆汁の漏出を防止することができる。
【００１５】
また、ドレイン受皿の水平縁部の下面に、螺子孔を備えた迂回プレートを、該螺子孔が固着位置と偏位するようにして固着し、該螺子孔に支持部材を構成する螺子杆の上端を螺着することにより、該支持部材をドレイン受皿に固定する構成が提案され得る。かかる構成にあっては、螺子杆の上端を螺着する水平縁部の螺着位置の下方に鉄筋等の障害物があり、ドレイン受皿の水平縁部の下面に螺子杆の上端を直接螺着できない場合に、迂回プレートを前記螺着位置に螺子止めして固着した状態で、該迂回プレートの螺子孔に、支持部材を構成する螺子杆の上端を螺着することにより、障害物を迂回させて、支持部材をドレイン受皿に固定することができる。
【００１６】
また、本発明は、水平縁部と垂直縁部とにより断面略Ｌ形に形成されたドレイン受皿と、該ドレイン受皿の垂直縁部から後方に延成された排水管部とを備えてなり、コンクリート型枠に仮固定された打込型コーナードレインの、そのドレイン受皿を移動不能に保持するものであって、ドレイン受皿の水平縁部の下面に、下端が水平縁部の下方で対向するコンクリート型枠に当接して該水平縁部を所定位置に保持する長さ調整可能な支持部材を配設するとともに、螺子孔を備えた迂回プレートを、該螺子孔が固着位置と偏位するようにして水平縁部の下面に固着し、該螺子孔に前記支持部材の上端を螺着することにより、該支持部材をドレイン受皿に固定したことを特徴とする打込型コーナードレインのドレイン受皿保持装置である。
【００１７】
かかる構成にあって、迂回プレートを前記固着位置に螺子止めして固着した状態で、該迂回プレートの螺子孔に、支持部材の上端を螺着することにより、障害物を迂回させて、支持部材の上端をドレイン受皿に固定することができる。そして、このように上端が迂回プレートを介してドレイン受皿に固定され、下端がコンクリート型枠に当接される支持部材により、ドレイン受皿の水平縁部を所定位置に保持し得るので、コンクリート型枠に仮固定された状態にある打込型コーナードレインに何らかの衝撃力が加えられても、ドレイン受皿が前側に下方傾斜したり、該ドレイン受皿の水平縁部が左右方向に傾くことがない。かかる構成は、打込型コーナードレインと、その下方で対向するコンクリート型枠との距離が比較的短く、かつ、迂回プレートの固着位置の下方に鉄筋等の障害物があって、ドレイン受皿の水平縁部の下面に支持部材の上端を直接螺着できない場合の施工に好適な構成となる。
【００１８】
【発明の実施の形態】
以下に、本発明の第一実施例を、図１〜図５について説明する。
【００１９】
打込型コーナードレイン１は、床面と壁面とが交叉する建物のコーナーに設置されるものであって、該打込型コーナードレイン１のドレイン本体２は、水平縁部３ａの後縁に垂直縁部３ｂが連成された断面略Ｌ形のドレイン受皿４と、前記垂直縁部３ｂから後方に延成された排水管部５とを備えてなる。該打込型コーナードレイン１は、コンクリートの打設前に仮固定装置６によって縦方向の壁用コンクリート型枠７Ａの所定高さ位置に仮固定される。
【００２０】
前記仮固定装置６は、円形の位置決め盤８を備えており、該位置決め盤８は、前記壁用コンクリート型枠７Ａの所定高さ位置に釘９等によって固定される。該位置決め盤８には筒状スペーサ１０の一端が嵌合され、該筒状スペーサ１０の他端は前記ドレイン本体２の排水管部５の後端部に外嵌される。この筒状スペーサ１０の長さは、壁側となるコンクリートの厚みに対応しており、図示した例では、標準的な長さの筒状スペーサ１０が用いられている。
【００２１】
前記位置決め盤８の中央部にはナットからなる雌螺子部１１が設けられ、該雌螺子部１１に基端を螺合することにより螺子杆１２が略水平に植設されている。また、前記ドレイン本体２の垂直縁部３ｂの前面には、排水管部５の開口部５’を跨いで挟圧板１３が差し渡されており、該挟圧板１３の中央に形成した透孔に前記螺子杆１２を挿通させ、その突出端側に蝶ナット１５を螺着して緊締することにより、挟圧板１３を壁用コンクリート型枠７Ａ側に押圧させて、該挟圧板１３と前記筒状スペーサ１０とで垂直縁部３ｂ及び排水管部５を挟持することにより、ドレイン本体２を仮固定するようにしている。そして、この螺子杆１２及び蝶ナット１５を、挟圧板１３を壁用コンクリート型枠７Ａ側に押圧して、筒状スペーサ１０とで垂直縁部３ｂ及び排水管部５を挟持する挟持手段としている。
【００２２】
また、ドレイン受皿４の垂直縁部３ｂの周囲には、前記壁用コンクリート型枠７Ａと対をなす縦方向の壁用コンクリート型枠７Ａ’が配設されるとともに、ドレイン受皿４の水平縁部３ａの下方には、底壁面１４ａと側壁面１４ｂとを備えた梁用コンクリート型枠７Ｂが配設されており、さらに該梁用コンクリート型枠７Ｂの周囲には、梁用コンクリート型枠７Ｂの底壁面１４ａより高い位置で、側壁面１４ｂの上端に連続させて床用コンクリート型枠７Ｃが水平状に配設されている。そして、該床用コンクリート型枠７Ｃの上部、梁用コンクリート型枠７Ｂの内側及び前記両壁用コンクリート型枠７Ａ，７Ａ’間をコンクリートの充填空隙としている。尚、図示省略されているが、該充填空隙内には適宜形状に組み付けられた複数の鉄筋が配設されている。
【００２３】
次に、本発明の要部であるドレイン受皿保持装置１６について説明する。該ドレイン受皿保持装置１６は、前記水平縁部３ａの下面の左右両側に上部が夫々連結される長さ調整可能な支持部材１７，１７と、水平縁部３ａより低い高さ位置に配設される床用コンクリート型枠７Ｃに固定されて、前記支持部材１７，１７の下部を夫々支持する支持プレート２６，２６とからなる。
【００２４】
前記両支持部材１７，１７は、図４に示すように、上下方向の螺子杆１８と、軸線に沿う雌螺子孔１９を備えた螺子筒２０とからなり、該螺子筒２０の雌螺子孔１９に、前記螺子杆１８の下端を進退可能に螺入することにより、その螺進作用を介して長さ調整可能となっている。これにより、各支持部材１７の長さ調整手段が構成されている。
【００２５】
そして、各支持部材１７を構成する螺子杆１８の上端を、水平縁部３ａの下面に螺着することにより、該支持部材１７をドレイン受皿４に固定するようにしている。ここで、打込型コーナードレイン１にあっては、図２に示すように、Ｌ形に屈成されたアンカーｍ（図１２，図１３参照）を螺着するための螺子孔２７，２７が、ドレイン受皿４の水平縁部３ａの下面の左右両側に予め形成されているので、該螺子孔２７，２７に螺子杆１８の上端を螺着すれば、ドレイン受皿４に螺子孔加工を別途施すことなく、支持部材１７を簡単に取り付けることができる。
【００２６】
また、支持部材１７の螺子筒２０の下端には、雌螺子孔１９を塞ぐキャップ体２１が配設されている。該キャップ体２１は、前記支持プレート２６との当接面積を拡大するフランジ部２２と、該フランジ部２２の上面に突成されたボス部２３とからなり、図５イに拡大して示すように、該ボス部２３の外周には雄螺子２４が刻設されている。そして、該雄螺子２４を雌螺子孔１９に螺入することによって、キャップ体２１を螺子筒２０の下端に取り付け得るようにしている。尚、キャップ体２１の取付手段としては、このような螺入式に代えて、図５ロに示すように、ボス部２３の外周に複数の抜止め段部２５を周設し、該ボス部２３を雌螺子孔１９に強制嵌入してキャップ体２１に取付る嵌入式としてもよい。
【００２７】
一方、前記両支持プレート２６，２６は、水平状支持縁２８ａと、該水平状支持縁２８ａの一側縁から上方に立ち上がる垂直状支持縁２８ｂとを備えた断面略Ｌ形を呈し、図１に示すように、床用コンクリート型枠７Ｃの端部から片持ち状に延出し得る適宜の長さに形成されている。前記平板状支持縁２８ａの基部側には、釘やスクリュー螺子等の止着手段２９を挿通するための複数の透孔３０が長手方向に沿って所定間隔で形成されている。また、該平板状支持縁２８ａの先端側には、クランク形の係止片３１，３１が対向状に固着されており、該係止片３１，３１に上記キャップ体２１のフランジ部２２を側方から係合することにより、支持部材１７の下部を確実に係止し得るようにしている。
【００２８】
尚、この第一実施例では、前記垂直状支持縁２８ｂが上下方向の応力を生ずる補強縁となっている。また、支持プレート２６，２６は、必ずしも断面略Ｌ形である必要はなく、コ字形やＴ字形或いは平板形状であってもよい。
【００２９】
かかる構成にあって、図１に示すように、打込型コーナードレイン１を、コンクリートの打設前に仮固定装置６によって壁用コンクリート型枠７Ａの所定高さ位置に仮固定する一方、支持プレート２６，２６の各係止片３１，３１にフランジ部２２を係止して支持部材１７，１７の下部を支持させた状態で、該支持プレート２６，２６の基部側を止着手段２９を介して床用コンクリート型枠７Ｃの後縁部に固定することにより、該支持プレート２６，２６の先端側を床用コンクリート型枠７Ｃからドレイン受皿４の水平縁部３ａの下方に対応する位置に夫々延出させる。そして、該支持プレート２６，２６によって下部が支持されている支持部材１７，１７の上端を、その長さ調整作用を介してドレイン受皿４の水平縁部３ａの下面に螺着して連結する。これにより、ドレイン受皿４の水平縁部３ａを所定位置に保持することができ、打込型コーナードレイン１に何らかの衝撃力が加えられても、従来のようにドレイン受皿４が前側に下方傾斜したり、水平縁部３ａが左右方向に傾くことがない。
【００３０】
ここで、上記のように、支持プレート２６，２６を床用コンクリート型枠７Ｃに固定して支持部材１７，１７の下部を支持させることにより、該支持部材１７，１７を短くすることができ、支持部材１７，１７の下部を梁用コンクリート型枠７Ｂの底壁面１４ａで支持するために長い支持部材１７，１７を用いた場合に比して、ドレイン受皿４の保持をより安定的に行わせることができる。
【００３１】
また、前記支持部材１７，１７の長さ調整手段が、上下方向の螺子杆１８と、該螺子杆１８の下端が進退可能に螺入される雌螺子孔１９を備えた螺子筒２０とによって構成されていることにより、仮固定位置におけるドレイン受皿４の高さに応じて、支持部材１７，１７の長さ調整及びその微調整を容易に行うことができる。さらに、螺子筒２０の下端に配設されたキャップ体２１のフランジ部２２によって、該支持部材１７，１７の直立性を安定させることができる。
【００３２】
そして、この状態でコンクリートが打設され、その硬化後に、各コンクリート型枠を取り外す時に、雌螺子孔１９内で錆汁が発生していても、該雌螺子孔１９の下部がキャップ体２１のボス部２３によって塞がれていることにより、該雌螺子孔１９からの錆汁の漏出を防止することができる。また、施工後においては、支持部材１７，１７によって、硬化したコンクリート内でのアンカー作用を得ることができる。
【００３３】
尚、上記第一実施例では、二本の支持部材１７，１７と支持プレート２６，２６とを用いてドレイン受皿保持装置１６を構成した場合について説明したが、これに代えて、図６に示すように、単一の支持部材１７と支持プレート２６とによってドレイン受皿保持装置１６を構成することもできる。この場合には、支持部材１７を構成する螺子杆１８の上端に、左右に長い帯板状のフランジ板３２を溶接等によって固着し、該フランジ板３２を螺子３３，３３によってドレイン受皿４の水平縁部３ａの螺子孔２７，２７に固定することにより、支持部材１７がドレイン受皿４に取り付けられることとなる。
【００３４】
図７，図８は、ドレイン受皿保持装置１６の第二実施例を示し、この実施例では、上述した二本の支持部材１７，１７が夫々ターンバックル３４と、該ターンバックル３４の両端に螺合される上下一対の螺子杆３５ａ，３５ｂとによって構成されている。ここで、ターンバックル３４には、その上下両端部に相互に向きが異なる雌螺子孔（図示省略）が形成されており、また、螺子杆３５ａ，３５ｂの外周には相互に向きが異なる雄螺子３６ａ，３６ｂが刻設されている。そして、前記両端部の雌螺子孔に螺子杆３５ａ，３５ｂを夫々螺合させた状態でターンバックル３４を正逆何れかの方向に回転させることにより、各螺子杆３５ａ，３５ｂの螺進作用を介して支持部材１７の全長を伸長または収縮させてその長さを調整し得るようになっている。これにより、各支持部材１７の長さ調整手段が構成されている。
【００３５】
また、前記ターンバックル３４に一端が螺合される螺子杆３５ａ，３５ｂの他端には、図８に示すように、ボルト挿通孔３８を備えた連結片３９が夫々固着されており、該連結片３９，３９を介して上部に位置する螺子杆３５ａの上端がドレイン受皿４の水平縁部３ａの下面に連結され、下部に位置する螺子杆３５ｂの下端が支持プレート２６に連結される。
【００３６】
この第二実施例にあっては、上述した二個の支持プレート２６，２６が、床用コンクリート型枠７Ｃの端部上のみに位置させて固定し得るように短尺な断面略Ｌ形に形成されており、その垂直状支持縁２８ｂには、前記螺子杆３５ｂの連結片３９のボルト挿通孔３８に挿通されるボルト４０を挿通する取り付け孔４１が形成されている。そして、該取り付け孔４１に、螺子杆３５ｂの連結片３９のボルト挿通孔３８に挿通したボルト４０を挿通して、その突出端にナット４２を螺着することにより、支持部材１７，１７を構成する各螺子杆３５ｂの下部を支持プレート２６，２６により支持するようにしている。
【００３７】
また、ドレイン受皿４の水平縁部３ａの下面には、上述した水平縁部３ａの左右両側の螺子孔２７，２７に螺合される螺子４３によって連結プレート４４，４４が固定される。該連結プレート４４，４４は、下方に突出する垂直状支持縁４５を夫々備えており、該垂直状支持縁４５には、前記螺子杆３５ａの連結片３９のボルト挿通孔３８に挿通されるボルト４６を挿通する取り付け孔４７が形成されている。そして、該取り付け孔４７に、螺子杆３５ａの連結片３９のボルト挿通孔３８に挿通したボルト４６を挿通して、その突出端にナット４８を螺着することにより、支持部材１７，１７を構成する各螺子杆３５ａの上部を、ドレイン受皿４の水平縁部３ａの下面に連結するようにしている。その他の構成は、第一実施例と同じであり、同一部分に同一符号を付して重複する説明を省略する。
【００３８】
かかる構成にあっても、長さ調整手段を介して支持部材１７，１７の長さを調整することにより、該支持部材１７，１７によってドレイン受皿４の水平縁部３ａを所定位置に保持することができる。これにより、打込型コーナードレイン１に何らかの衝撃力が加えられても、従来のようにドレイン受皿４が前側に下方傾斜したり、水平縁部３ａが左右方向に傾くことがない。
【００３９】
また、上記のように、支持プレート２６，２６を床用コンクリート型枠７Ｃに固定して支持部材１７，１７の下部を支持させることにより、該支持部材１７，１７を短くすることができ、支持部材１７，１７の下部を梁用コンクリート型枠７Ｂの底壁面１４ａで支持するために長い支持部材１７，１７を用いた場合に比して、ドレイン受皿４の保持をより安定的に行わせることができる。
【００４０】
図９，図１０は、ドレイン受皿保持装置１６の第三実施例を示し、この実施例は、上述した第一実施例にあって、螺子杆１８の上端を螺着する螺子孔２７の下方位置に、鉄筋等の障害物４９が配設されていて螺子杆１８の上端を螺子孔２７に直接螺着できない場合に適用されるものであり、ドレイン受皿４の水平縁部３ａの下面に、螺子孔５０を備えた迂回プレート５１を、該螺子孔５０が固着位置と偏位するようにして固着し、該螺子孔５０に支持部材１７を構成する螺子杆１８の上端を螺着することにより、該支持部材１７をドレイン受皿４に固定するようにしたものである。ここで、前記迂回プレート５１は、図１０に示すように、適宜長さの帯板からなり、その一端側に前記螺子孔５０が上下方向に形成されており、他端側には螺子４３を挿通するための上下方向の挿通孔５３が形成されている。そして、該挿通孔５３に下方から挿通した螺子４３を、水平縁部３ａの下面の螺子孔２７に螺合させることにより、迂回プレート５１をドレイン受皿４の水平縁部３ａの下面に固着し得るようにしている。
【００４１】
かかる構成にあって、螺子杆１８の上端を螺着する水平縁部３ａの螺子孔２７の、その下方に鉄筋等の障害物４９がある場合に、迂回プレート５１を前記螺子孔２７に螺子止めして固着した状態で、該迂回プレート５１の螺子孔５０に、支持部材１７を構成する螺子杆１８の上端を螺着することにより、障害物４９を迂回させて、支持部材１７をドレイン受皿４に固定することができる。
【００４２】
図１１は、ドレイン受皿保持装置１６の第四実施例を示し、この実施例は、ドレイン受皿４の水平縁部３ａの下方の比較的近接位置に床用コンクリート型枠７Ｃが水平状に配設されており、かつ、第一実施例における螺子杆１８の上端を螺着する螺子孔２７の下方位置に、鉄筋等の障害物４９が配設されていて螺子杆１８の上端を螺子孔２７に直接螺着できない場合に適用されるものであり、ドレイン受皿４の水平縁部３ａの下面に、下端が水平縁部３ａの下方で対向する床用コンクリート型枠７Ｃに当接して該水平縁部３ａを所定位置に保持する長さ調整可能な支持部材１７を配設するとともに、螺子孔５０を備えた迂回プレート５１を、該螺子孔５０が固着位置と偏位するようにして水平縁部３ａの下面に固着し、該螺子孔５０に前記支持部材１７の上端を螺着することにより、該支持部材１７をドレイン受皿４に固定するようにしたものである。ここで、前記迂回プレート５１は、第三実施例のもの（図１０参照）と同様に適宜長さの帯板からなり、その一端側に前記螺子孔５０が上下方向に形成されており、他端側には螺子４３を挿通するための上下方向の挿通孔５３が形成されている。そして、該挿通孔５３に下方から挿通した螺子４３を、水平縁部３ａの下面の螺子孔２７に螺合させることにより、迂回プレート５１をドレイン受皿４の水平縁部３ａの下面に固着し得るようにしている。
【００４３】
かかる構成にあっても、螺子杆１８の上端を螺着する水平縁部３ａの螺子孔２７の、その下方に鉄筋等の障害物４９がある場合に、迂回プレート５１を前記螺子孔２７に螺子止めして固着した状態で、該迂回プレート５１の螺子孔５０に、支持部材１７を構成する螺子杆１８の上端を螺着することにより、障害物４９を迂回させて、支持部材１７をドレイン受皿４に固定することができる。
【００４４】
尚、この第四実施例のドレイン受皿保持装置１６にあっては、支持部材１７の下部に配設されるキャップ体２１のフランジ部２２を、図１１に示すように、床用コンクリート型枠７Ｃに対して釘やスクリュー螺子等の止着手段２９を用いて固定するようにしてもよい。
【００４５】
【発明の効果】
本発明は、上述したように、長さ調整手段を備え、ドレイン受皿４の水平縁部３ａの下面に上部が連結される支持部材１７と、水平縁部３ａより低い高さ位置に配設されるコンクリート型枠に固定されて、前記支持部材１７の下部を支持する支持プレート２６とにより、水平縁部３ａを所定位置に保持するようにしたドレイン受皿保持装置１６であるから、打込型コーナードレイン１に何らかの衝撃力が加えられても、ドレイン受皿４が前側に下方傾斜したり、水平縁部３ａが左右方向に傾く不具合を確実に防止することができる。
【００４６】
また、ドレイン受皿４の水平縁部３ａより低い高さ位置に配設されるコンクリート型枠が、打込型コーナードレイン１の下方に形成される梁用コンクリート型枠７Ｂと、該梁用コンクリート型枠７Ｂの底壁面１４ａより高い位置で、該梁用コンクリート型枠７Ｂの周囲に形成される床用コンクリート型枠７Ｃとによって構成される場合にあっては、支持プレート２６を周囲の床用コンクリート型枠７Ｃに固定して支持部材１７の下部を支持させることにより、該支持部材１７を短くすることができ、支持部材１７の下部を梁用コンクリート型枠７Ｂの底壁面１４ａで支持するために長い支持部材１７を用いた場合に比して、ドレイン受皿４の保持をより安定的に行わせることができる。
【００４７】
さらに、前記支持部材１７の長さ調整手段を、上下方向の螺子杆１８と、該螺子杆１８の下端が進退可能に螺入される雌螺子孔１９を備えた螺子筒２０とによって構成すれば、仮固定位置におけるドレイン受皿４の高さに応じて、各支持部材１７の長さ調整及びその微調整を容易に行うことができる。
【００４８】
また、前記支持部材１７の他の長さ調整手段として、ターンバックル３４と、該ターンバックル３４の両端に螺合される上下一対の螺子杆３５ａ，３５ｂとによって構成してもよい。この構成にあっても、上記と同様に、仮固定位置におけるドレイン受皿４の高さに応じて、支持部材１７の長さ調整及びその微調整を容易に行うことができる。
【００４９】
また、前記支持部材１７を構成する螺子杆１８の上端を、水平縁部３ａの下面に直接螺着することにより、該支持部材１７をドレイン受皿４に固定するようにしたから、該ドレイン受皿４の下面の左右両側に予め形成されている螺子孔２７に螺子杆１８の上端を螺着することにより、ドレイン受皿４に螺子孔加工を別途施すことなく、支持部材１７を簡単に取り付けることができる。また、製品出荷時においては、前記支持部材１７をドレイン受皿４から取り外した状態で梱包し得るので、嵩張ることがなく、さらに、施工後においては、硬化したコンクリート内でアンカー作用を得ることができる。
【００５０】
さらに、螺子筒２０の下端に、支持プレート２６との当接面積を拡大するフランジ部２２を備え、かつ螺子筒２０の雌螺子孔１９に下方から螺入若しくは嵌入されて該雌螺子孔１０を塞ぐボス部２３を備えてなるキャップ体２１を配設したから、支持部材１７によって水平縁部３ａを所定位置に保持した状態において、キャップ体２１のフランジ部２２によって、該支持部材１７の直立性を安定させることができる一方、硬化したコンクリートから型枠を取り外した時に、雌螺子孔１９の下部を塞ぐキャップ体２１のボス部２３によって、該雌螺子孔１９からの錆汁の漏出を防止することができる。
【００５１】
また、ドレイン受皿４の水平縁部３ａの下面に、螺子孔５０を備えた迂回プレート５１を、該螺子孔５０が固着位置と偏位するようにして固着し、該螺子孔５０に支持部材１７を構成する螺子杆１８の上端を螺着することにより、該支持部材１７をドレイン受皿４に固定するようにすれば、螺子杆１８の上端を螺着する水平縁部３ａの螺着位置の下方に鉄筋等の障害物４９がある場合に、該障害物４９を迂回させて、支持部材１７をドレイン受皿４に固定することが可能となる。
【００５２】
また、ドレイン受皿４の水平縁部３ａの下面に、下端が水平縁部３ａの下方で対向するコンクリート型枠に当接して該水平縁部３ａを所定位置に保持する長さ調整可能な支持部材１７を配設するとともに、螺子孔５０を備えた迂回プレート５１を、該螺子孔５０が固着位置と偏位するようにして水平縁部３ａの下面に固着し、該螺子孔５０に前記支持部材１７の上端を螺着することにより、該支持部材１７をドレイン受皿４に固定するようにした構成にあっては、打込型コーナードレイン１と、その下方で対向するコンクリート型枠との距離が比較的短く、かつ、迂回プレート５１の固着位置の下方に鉄筋等の障害物４９があって、ドレイン受皿４の水平縁部３ａの下面に支持部材１７の上端を直接螺着できない場合の施工に好適に適用し得る優れた効果がある。
【図面の簡単な説明】
【図１】第一実施例にかかるドレイン受皿保持装置の施工状態を示す縦断側面図である。
【図２】同上の施工状態の一部切欠正面図である。
【図３】同上の施工状態の平面図である。
【図４】支持部材の分解図である。
【図５】キャップ体の取付手段を示し、イは螺入式、ロは嵌入式のボス部を備えたキャップ体の縦断面図である。
【図６】他の構成からなるドレイン受皿保持装置の施工状態を示す一部切欠正面図である。
【図７】第二実施例にかかるドレイン受皿保持装置の施工状態を示す縦断側面図である。
【図８】ターンバックルに螺合される上下の螺子杆の端部の連結手段を示す分解斜視図である。
【図９】第三実施例にかかるドレイン受皿保持装置の施工状態を示す縦断側面図である。
【図１０】迂回プレートの斜視図である。
【図１１】第四実施例にかかるドレイン受皿保持装置の施工状態を示す縦断側面図である。
【図１２】従来構成を示す縦断側面図である。
【図１３】従来構成を示す正面図である。
【符号の説明】
１  打込型コーナードレイン
２  ドレイン本体
３ａ  水平縁部
３ｂ  垂直縁部
４  ドレイン受皿
５  排水管部
７Ａ  壁用コンクリート型枠
７Ｂ  梁用コンクリート型枠
７Ｃ  床用コンクリート型枠
１６  ドレイン受皿保持装置
１７  支持部材
１８  螺子杆
１９  雌螺子孔
２０  螺子筒
２１  キャップ体
２２  フランジ部
２３  ボス部
２６  支持プレート
３４  ターンバックル
３５ａ，３５ｂ  螺子杆
５０  螺子孔
５１  迂回プレート
【図１】
0003929802.tif 000002
【図２】
0003929802.tif 000003
【図３】
0003929802.tif 000004
【図４】
0003929802.tif 000005
【図５】
0003929802.tif 000006
【図６】
0003929802.tif 000007
【図７】
0003929802.tif 000008
【図８】
0003929802.tif 000009
【図９】
0003929802.tif 000010
【図１０】
0003929802.tif 000011
【図１１】
0003929802.tif 000012
【図１２】
0003929802.tif 000013
【図１３】
0003929802.tif 000014